(57)【特許請求の範囲】
【請求項１】
遺体に浴びせられて下方に流れ落ちる湯水を受けて排水する湯灌槽（１）であって、略長方形の底壁（２）と、該底壁（２）の周囲に立設された周壁（３）とを備え、前記底壁（２）の長手方向一端側に排水口（４）が設けられたものにおいて、
前記底壁（２）は、その幅方向内側領域に、前記底壁（２）の幅方向中央部から幅方向外側に向かって徐々に低位に変位する凸曲面状の膨出部（６）を有すると共に、その幅方向両端部に、前記膨出部（６）よりも低位に位置した排水溝（７）を有し、
前記膨出部（６）および前記排水溝（７）の双方は、長手方向他端側から長手方向一端側に向かって徐々に低位に変位したテーパ状をなして前記底壁（２）の長手方向に沿って延び、かつ前記排水口（４）よりも長手方向他端側で終端し、
前記底壁（２）のうち、前記膨出部（６）および前記排水溝（７）の終端部（６ａ，７ａ）の長手方向一端側に隣接した領域にすり鉢状の凹部（８）を設け、この凹部（８）の底部に前記排水口（４）を設けると共に、該凹部（８）の、前記排水口（４）に対して長手方向他端側となる領域を構成し、かつ、長手方向他端側から長手方向一端側に向かって徐々に低位に変位したテーパ部（２ａ）を、前記膨出部（６）および前記排水溝（７）の終端部（６ａ，７ａ）に繋げたことを特徴とする湯灌槽（１）。
【請求項２】
前記膨出部（６）および前記排水溝（７）の双方が、前記底壁（２）の長手方向に沿って同一幅に形成されていることを特徴とする請求項１に記載の湯灌槽（１）。
【請求項３】
前記底壁（２）の裏面に、伸縮自在の脚部（５）が取付けられていることを特徴とする請求項１又は２に記載の湯灌槽（１）。
【請求項４】
前記底壁（２）の長手方向所定位置に幅方向に延びた隔壁（１２）を立設することにより、遺体の胴部以下に浴びせられて下方に流れ落ちる湯水を受けて排水する主槽（１１）と、遺体の頭部に浴びせられて下方に流れ落ちる湯水を受けて排水する洗髪槽（１３）とに区画し、
前記主槽（１１）を画成する底壁（２）に前記排水口（４）、前記膨出部（６）および前記排水溝（７）を設けると共に、前記洗髪槽（１３）を画成する底壁（２）に前記排水口（４）とは別個の排水口（１４）を設けたことを特徴とする請求項１〜３の何れか一項に記載の湯灌槽（１）。
【発明の詳細な説明】
【技術分野】
【０００１】
本発明は、湯灌の儀に用いられる湯灌槽に関する。
【背景技術】
【０００２】
近年、葬儀においては、遺体を納棺するのに先立って、遺体を洗い清めるための儀式（湯灌の儀）が執り行われる場合がある。湯灌の儀は、例えば、次のような手順で行われる。まず、網目状の担架（表裏に開口した無数の穴を有する担架）に遺体を安置した後、この担架を、排水口が設けられた略長方形の底壁と、底壁の周囲に立設された周壁とを備えた湯灌槽の頂部に懸架・載置する。そして、この状態で、遺体に湯水を浴びせ、遺体全体を洗い清める。
【０００３】
ところで、湯灌に使用した湯水、すなわち遺体を洗い清めて湯灌槽内に流れ落ちる湯水（以下、これを「湯灌水」とも称す）は、遺体に付着していた汚垢、排泄物、毛髪および繊維屑等、固体状の汚物を多量に含む。そのため、何ら対策を講じなければ、湯灌槽の底壁に設けた排水口から湯灌水が円滑に排出されず、湯灌の儀を円滑に行い得ないという問題がある。また、湯灌槽の底壁上に固体状の汚物が残留し、湯灌の儀終了後の清掃作業に多大な手間を要するという問題もある。
【０００４】
このような問題点を緩和もしくは解消すべく、以下に示す特許文献１のような湯灌槽が提案されている。詳しくは、略長方形の底壁と、底壁の周囲に立設された周壁と、底壁の後方側に設けられた排水口とを有する湯灌槽であって、底壁の幅方向中央部に、長手方向に延びかつ前方よりも後方が低くなるように傾斜した排水溝が形成されており、この排水溝の後方端部に排水口が設けられたものである。さらに、排水溝は、排水口に近づくにつれて徐々に幅狭になるように形成されている。このような構成によれば、固体状の汚物を含む湯灌水が排水口に効率良く集中するため、湯灌水が湯灌槽から効率良く排出され、上述の問題が緩和もしくは解消されるものと期待される。
【先行技術文献】
【特許文献】
【０００５】
【特許文献１】特許第３６５８２１４号
【発明の概要】
【発明が解決しようとする課題】
【０００６】
しかしながら、特許文献１に開示された湯灌槽にも改良の余地がある。すなわち、遺体に浴びせられた湯水の大半は、遺体に沿うようにして、底壁の幅方向外側領域（幅方向両端部）に流れ落ちるが、排水溝を底壁の幅方向中央部に設けた特許文献１の湯灌槽では、底壁上に流れ落ちた湯灌水が、排水溝、ひいては排水孔に到達し難く、依然として排水効率に難がある。また、湯灌水に含まれる固体状の汚物が排水溝内で残留・堆積した場合、排水溝が底壁の幅方向中央部に設けられた特許文献１の湯灌槽では、湯灌の儀終了後の清掃作業に手間を要するという問題もある。
【０００７】
本発明はかかる実情に鑑みてなされたものであり、その目的とするところは、湯灌に使用した湯水の排出性向上、および湯灌の儀終了後に執り行われる清掃作業の作業効率向上を図り得る湯灌槽を提供することにある。
【課題を解決するための手段】
【０００８】
上記の目的を達成するために創案された本発明は、遺体に浴びせられて下方に流れ落ちる湯水を受けて排水する湯灌槽であって、略長方形の底壁と、底壁の周囲に立設された周壁とを備え、底壁の長手方向一端側に排水口が設けられたものにおいて、底壁は、その幅方向内側領域に、底壁の幅方向中央部から幅方向外側に向かって徐々に低位に変位する凸曲面状の膨出部を有すると共に、その幅方向両端部に、膨出部よりも低位に位置した排水溝を有し、膨出部および排水溝の双方は、長手方向他端側から長手方向一端側に向かって徐々に低位に変位したテーパ状をなして底壁の長手方向に沿って延び、前記排水口よりも長手方向他端側で終端し、底壁のうち、膨出部および排水溝の終端部の長手方向一端側に隣接した領域にすり鉢状の凹部を設け、この凹部の底部に排水口を設けると共に、凹部の、排水口に対して長手方向他端側となる領域を構成し、かつ、長手方向他端側から長手方向一端側に向かって徐々に低位に変位したテーパ部を、膨出部および排水溝の終端部に繋げたことを特徴とする。なお、本発明でいう「長手方向一端側」および「長手方向他端側」とは、それぞれ、上記の特許文献１でいう「後方側」および「前方側」に対応し、主に遺体の足先および頭部が配置される側を意味する。
【０００９】
上記のように、本発明に係る湯灌槽では、底壁の幅方向内側領域に凸曲面状の膨出部が設けられると共に、底壁の幅方向両端部に膨出部よりも低位に位置した排水溝が設けられる。すなわち、底壁のうち、湯灌に使用した湯水（遺体を洗い清めた湯水。以下、これを簡略化して「湯灌水」とも称す。）の大半が流れ落ちる幅方向両端部に排水溝が設けられることから、従来の湯灌槽に比べて排水効率を向上することができる。底壁の幅方向内側領域に湯灌水が流れ落ちても、この湯灌水は、凸曲面状の膨出部に沿うようにして排水溝に向かって円滑に流動する。仮に、排水溝内に、湯灌水に含まれる固体状の汚物が残留・堆積等しても、底壁の幅方向両端部に排水溝が設けられている分、湯灌の儀終了後の清掃作業を効率的に行い得る。また、膨出部および排水溝の双方は、長手方向他端側から排水口が設けられた長手方向一端側に向かって徐々に低位に変位したテーパ状をなして底壁の長手方向に沿って延び、かつ、排水口よりも長手方向他端側で終端しており、底壁のうち、膨出部および排水溝の終端部に隣接した領域をすり鉢状の凹部に形成したことから、湯灌水は、最終的に凹部に流れ込み、凹部の底部に設けた排水口を介して湯灌槽外に順次排出される。以上のことから、本発明によれば、湯灌に使用した湯水の排出性向上、および湯灌の儀終了後に執り行われる清掃作業の効率化が図られる。
【００１０】
上記構成の湯灌槽において、膨出部および排水溝の双方は、底壁の長手方向に沿って同一幅に形成することができる。このようにすれば、長手方向の各部における湯灌水の流動性に差が生じ難くなるので、湯灌水の流動性が良好に維持される。
【００１１】
また、上記構成の湯灌槽において、底壁の裏面には、伸縮自在の脚部を取付けても良い。このようにすれば、脚部の長さを適宜調整することによって、湯灌槽の姿勢を任意に設定することができる。そのため、例えば当該湯灌槽を平坦でない場所で使用する場合においても湯灌水の排出性を担保することができる。脚部は、例えば底壁裏面の四隅近傍に取付けることができるが、湯灌槽の姿勢を適切に保持することができれば特に限定されず、底壁裏面の３箇所又は５箇所以上に取付けることもできる。
【００１２】
また、上記構成の湯灌槽において、底壁の長手方向所定位置に幅方向に延びた隔壁を立設することにより、遺体の胴部以下に浴びせられて下方に流れ落ちる湯水を受けて排水する主槽と、遺体の頭部に浴びせられて下方に流れ落ちる湯水を受けて排水する洗髪槽とに区画することができる。そして、上記の主槽を画成する底壁に上記の排水口、膨出部および排水溝を設ける一方、上記の洗髪槽を画成する底壁には、上記の排水口とは別個の排水口を設けることができる。洗髪槽を画成する底壁に、上記の排水口とは別個の排水口を設ければ、湯灌槽に含まれる固体状の汚物のうち多くの部分を占める頭髪の移動（流動）距離を短くすることができる。そのため、湯灌水の排出効率を一層向上することができる。なお、洗髪槽は、例えば湯水の貯留槽として用いることもでき、貯留した湯水に入浴剤等を投入しておけば臭気を緩和する上でも有効となる。
【発明の効果】
【００１３】
以上に示すように、本発明によれば、この種の湯灌槽において、湯灌に使用した湯水の排出性向上、および湯灌の儀終了後に執り行われる清掃作業の作業効率向上が図られる。
【図面の簡単な説明】
【００１４】
【図１】本発明の第１実施形態に係る湯灌槽の全体構造を示す図であって、（ａ）図は同平面図、（ｂ）図は同側面図、（ｃ）図は同正面図である。
【図２】図１（ａ）中のＡ−Ａ線矢視断面図である。
【図３】（ａ）図は図１（ａ）中のＢ−Ｂ線矢視断面図、（ｂ）図は図１（ａ）中のＣ−Ｃ線矢視断面図である。
【図４】本発明の第２実施形態に係る湯灌槽の全体構造を示す図であって、（ａ）図は同平面図、（ｂ）図は同側面図である。
【図５】図４（ａ）中のＡ−Ａ線矢視断面図である。
【図６】（ａ）図は図４（ａ）中のＢ−Ｂ線矢視断面図、（ｂ）図は図４（ａ）中のＣ−Ｃ線矢視断面図、（ｃ）図は図４（ａ）中のＤ−Ｄ線矢視断面図である。
【発明を実施するための形態】
【００１５】
以下、本発明の実施の形態を図面に基づいて説明する。
【００１６】
図１（ａ）〜（ｃ）に、本発明の第１実施形態に係る湯灌槽の全体構造を示す。同図に示す湯灌槽１は、排水口４が設けられた略長方形状（角丸長方形状）の底壁２と、底壁２の周囲に立設された周壁３とで空間部が画成されたものである。周壁３は、底壁２の長手方向両端部に立設された前壁３ａおよび後壁３ｂと、底壁２の幅方向（長手方向と直交する方向）両端部に立設された一対の側壁３ｃ，３ｃとで構成される。前壁３ａ、後壁３ｂおよび一対の側壁３ｃ，３ｃは、何れも、上方から下方に向かって徐々に内側に傾斜したテーパ状に形成され、かつその下端部は滑らかな曲面を介して底壁２に繋がっている。また、各側壁３ｃは、滑らかな曲面を介して前壁３ａおよび後壁３ｂと繋がっている。このような構成を有する周壁３と底壁２とは、例えばＦＲＰ（繊維強化プラスチック）で一体成形されている。なお、以下の説明においては、前壁３ａが設けられ、遺体の頭部が安置される側を「前方側」といい、後壁３ｂが設けられ、遺体の足先が安置される側を「後方側」という。「後方側」および「前方側」は、それぞれ、本発明でいう長手方向一端側および長手方向他端側に対応する。
【００１７】
図３（ａ）に示すように、底壁２の幅方向内側領域には、底壁２の幅方向中央部から幅方向外側に向かって徐々に低位に変位した凸曲面状の膨出部６が設けられている。この膨出部６は、図１（ａ）（ｂ）に示すように、底壁２の前方端を始点として長手方向に沿って延びており、底壁２の前方端から所定寸法後方側に離隔した位置にて終端している。また、底壁２の幅方向両端部（幅方向外側領域）には、膨出部６よりも低位に位置するようにして底壁２の長手方向に沿って延びた排水溝７，７が設けられている。各排水溝７は、膨出部６と側壁３ｃとの間に形成され、膨出部６と同様に、底壁２の前方端を始点とし、底壁２の前方端から所定寸法後方側に離隔した位置にて終端している。膨出部６および排水溝７は、図３（ａ）に示すように、長手方向と直交する方向の断面において、滑らかに繋がった連続曲面で構成されている。
【００１８】
図１（ｂ）および図２に示すように、膨出部６および排水溝７の双方は、前方側から後方側に向かって徐々に低位に変位したテーパ状をなし、かつ、幅寸法が長手方向に沿って（全長に亘って）同一値に形成されている。なお、膨出部６の後方端部６ａの傾斜角は、膨出部６のその他の領域の傾斜角よりも大きくなっている。
【００１９】
底壁２のうち、膨出部６および排水溝７の終端部（後方端部）６ａ，７ａの後方側に隣接した領域、より詳しくは、膨出部６および排水溝７の終端部６ａ，７ａと後壁３ｂとの間に介在する後方端部領域にはすり鉢状の凹部８が凹設されており、この凹部８の底部（最低位）に、底壁２の表裏面に開口した排水口４が設けられている。底壁２の後方端部領域には、前方端部が膨出部６および排水溝７の終端部６ａ，７ａに繋がり、前方側から後方側に向かって徐々に低位に変位した第１テーパ部２ａと、後方側から前方側に向かって徐々に低位に変位した第２テーパ部２ｂと、幅方向外側から幅方向内側に向かって徐々に低位に変位した左右一対の第３テーパ部２ｃ，２ｃとが設けられており、これらテーパ部２ａ〜２ｃですり鉢状の凹部８が構成されると共に、テーパ部２ａ〜２ｃの下端部で排水口４が画成される［図２及び図３（ｂ）を参照］。
【００２０】
底壁２の裏面には、伸縮自在の脚部５が取付けられている。本実施形態では、裏面２の四隅近傍の４箇所に脚部５を取付けている。このように、伸縮自在の脚部５を取付けておけば、各脚部５の長さを適宜調整することによって湯灌槽１の姿勢を任意に設定することができる。そのため、例えば当該湯灌槽１を平坦でない場所で使用する場合においても、湯灌槽１の姿勢を適切に保持し、湯灌水の排出性を担保することができる。なお、伸縮自在の脚部５の取付け態様はこれに限定されず、底壁２裏面の３箇所又は５箇所以上に取付けることもできる。
【００２１】
湯灌槽１の底壁２に設けた排水口４には排水管（図示せず）が接続可能となっており、排水口４から湯灌槽１外に排出される湯灌水は、排水管を介して回収タンク（図示せず）に回収されるようになっている。また、周壁３の外壁面には、給湯用ホースやシャワー等（何れも図示せず）を取付けるための取付け部を設けても良い。
【００２２】
湯灌槽１は主に以上の構成を具備し、湯灌の儀は、例えば次のようなて手順で執り行われる。まず、各脚部５の長さを適宜調整して、湯灌槽１を適切な姿勢で設置する。次いで、遺体を、図示外の網目状の担架に安置した後、当該担架を湯灌槽１の頂部に懸架する。そして、この状態で、図示しない貯湯タンクから供給される湯水を遺体に浴びせ、遺体全体を洗い清める。
【００２３】
以上に示すように、本発明に係る湯灌槽１においては、底壁２の幅方向内側領域に凸曲面状の膨出部６が設けられると共に、底壁２の幅方向両端部に膨出部６よりも低位に位置した排水溝７が設けられる。すなわち、底壁２のうち、湯灌水の大半が流れ落ちる幅方向両端部に排水溝７，７が設けられることから、従来の湯灌槽に比べて排水効率を向上することができる。湯灌水は、底壁２の幅方向内側領域にも流れ落ちるが、底壁２の幅方向内側領域には、凸曲面状の膨出部６が設けられていることから、膨出部６に流れ落ちた湯灌水は排水溝７に向かって円滑に流動する。仮に、排水溝７内に、湯灌水に含まれる固体状の汚物が残留・堆積等しても、底壁２の幅方向両端部に排水溝７が設けられている分、湯灌の儀終了後に執り行われる清掃作業を、従来の湯灌槽に比べて効率的に行い得る。特に、膨出部６および排水溝７を、図３（ａ）に示すように、滑らかに繋がった連続曲面で構成すれば、排水溝７のうち、膨出部６および側壁３ｃとの境界部に異物が残留し難く、仮に残留しても清掃作業を容易に行い得る。
【００２４】
また、膨出部６および排水溝７の双方は、前方側から後方側に向かって徐々に低位に変位したテーパ状をなして底壁２の長手方向に沿って延びることから、底壁２上に流れ落ちた湯灌水は、底壁２の後方側、すなわち排水口４に向かっても円滑に流動する。さらに、膨出部６および排水溝７の双方は排水口４よりも前方側で終端し、底壁２のうち、膨出部６および排水溝７の後方端部６ａ，７ａの後方側に隣接した領域にはすり鉢状の凹部８が設けられていることから、湯灌水は、最終的に凹部８に流れ込み、凹部８の底部に設けた排水口４を介して湯灌槽１外に順次排出される［以上、湯灌水の流れについては、図１（ａ）および図３（ａ）（ｂ）中に示す先端黒塗り矢印を参照］。なお、凹部８はすり鉢状に形成されており、十分な容積を確保し得ることから、凹部８に流れ込んだ湯灌水が、前方側（排水溝７側）に逆流するような事態も可及的に防止される。
【００２５】
底壁２上に流れ落ちる湯灌水は、遺体に付着していた汚垢、排泄物、毛髪および繊維屑等、固体状の汚物を多量に含むが、本発明に係る湯灌槽１であれば、上記したように、底壁２上に流れ落ちた湯灌水が排水口４に向かって円滑に流動する。そのため、底壁２上に、湯灌水に含まれる固体状の汚物が残留・堆積し難くなる。従って、湯灌作業、さらには湯灌の儀終了後に執り行われる清掃作業の効率化が図られる。
【００２６】
図４〜図６に、本発明の第２実施形態に係る湯灌槽１０を示す。なお、当該湯灌槽１０において、上述した湯灌槽１に準ずる構成には共通の参照番号を付して重複説明を省略することとし、異なる構成についてのみ詳述する。
【００２７】
図４〜図６に示す湯灌槽１０が、上述した本発明の第１実施形態に係る湯灌槽１と異なる主な点は、底壁２の長手方向の所定位置に幅方向に延びた隔壁１２を立設することにより、当該湯灌槽１０を、主に遺体の胴部以下を洗い清めた湯水が流れ落ちる主槽１１と、主に遺体の頭部を洗い清めた湯水が流れ落ちる洗髪槽１３とに区画した点にある。
【００２８】
この湯灌槽１０において、底壁２のうち主槽１１を画成する領域には、上記した膨出部６、排水溝７およびすり鉢状の凹部８が設けられている。従って、主槽１１においては、上述した本発明の第１実施形態に係る湯灌槽１にて得られる作用効果が有効に享受される。
【００２９】
一方、底壁２のうち洗髪槽１３を画成する領域はすり鉢状に形成され、その底部に、上記の排水口４とは別個の排水口１４が設けられている。このように、洗髪槽１３を画成する底壁２に、主槽１１を画成する底壁２に設けた排水口４とは別個の排水口１４を設ければ、湯灌水に含まれる固体状の汚物のうち多くの部分を占める頭髪の移動（流動）距離を短くすることができるので、湯灌水の排出効率を一層向上することができる。これにより、底壁２上に固体状の汚物が一層残留・堆積し難くなり、湯灌の儀終了後に執り行われる清掃作業が一層容易化されるというメリットがある。また、洗髪槽１３は、湯水の貯留槽として用いることができる。従って、例えば遺体の胴部以下を洗い清めている最中に洗髪槽１３内に湯水を溜めておき、かつこの湯水に入浴剤等を投入しておけば、臭気を緩和する上でも有効となる。
【００３０】
なお、第２の収容空間１３内には、図４（ａ）や図６（ｃ）に示すような荷台１５を設置しても良い。この荷台１５は、湯灌の儀に際して用いる洗剤等の小物置き場として活用し得るものである。
【００３１】
以上で説明した本発明に係る湯灌槽１，１０は、底壁２の裏面に伸縮自在の脚部５が取付けられていることから、貯湯タンクや回収タンクと共に車両（湯灌車）にて運搬され、移動式の湯灌サービスを提供する場合に特に好適な構成である。もちろん、本発明に係る湯灌槽１，１０は、定点設置する場合にも好ましく用いることができる。湯灌槽１，１０を定点設置する場合、底壁２の裏面に取付けるべき脚部は伸縮しないものであっても良い。
【符号の説明】
【００３２】
１      湯灌槽
２      底壁
３      周壁
４      排水口
５      脚部
６      膨出部
７      排水溝
８      凹部
１０    湯灌槽
１１    主槽
１２    隔壁
１３    洗髪槽
１４    排水口
１５    荷台
【図１】
0005517204.tif 000002
【図２】
0005517204.tif 000003
【図３】
0005517204.tif 000004
【図４】
0005517204.tif 000005
【図５】
0005517204.tif 000006
【図６】
0005517204.tif 000007